(57)【特許請求の範囲】
【請求項１】
胴部(4)の両側壁部分(5)のそれぞれに、凹部(11)を対向させて陥没形成し、該凹部(11)と、該両凹部(11)の間で平坦状に形成された背壁部分(6)とでグリップ部(G)を形成する合成樹脂製ブロー成形品であるピンチグリップ式ボトル型容器において、
前記両凹部(11)のそれぞれの上部領域に、さらに指当て用の指当て凹部(12)を対向させて陥没形成し、
前記背壁部分(6)の、指当て凹部(12)が位置する高さ範囲(H1)である上部領域には複数の補強横リブ(22)を等間隔に形成し、
前記背壁部分(6)の、指当て凹部(12)の下端より下方の高さ範囲(H2)である下部領域の全域には、前記補強横リブ(22)に比較して浅く形成され、且つ減圧時において前記下部領域の容器内方への陥没変形を可能とする複数の浅溝横リブ(23)を等間隔に形成したことを特徴とするピンチグリップ式ボトル型容器。
【請求項２】
補強横リブ(22)は、容器の外方に突出した突条リブである請求項１に記載のピンチグリップ式ボトル型容器。
【発明の詳細な説明】
【技術分野】
【０００１】
本発明は、グリップ機能部付き大型合成樹脂製ボトル型容器の内、胴部の両側壁部分に凹部を対向形成することにより、グリップ機能部を一体形成したピンチグリップ式ボトル型容器に関するものである。
【背景技術】
【０００２】
グリップ機能部付き大型合成樹脂製ボトル型容器の従来技術として、たとえば特許文献１には、予め別途に成形した把手体を容器本体に取付ける構成のボトル型容器とは別に、胴部の両側壁部分に、指先が略第一関節まで侵入できる程度の大きさに凹部を対向形成し、この両凹部と、両凹部の間に位置する背壁部分とで構成されたグリップ機能部を一体に形成したピンチグリップ式ボトル型容器が記載されている。
【０００３】
この種のピンチグリップ式ボトル型容器は、別途に成形した把手体を容器本体に取付ける構成のボトル型容器に比べて、製造コストの低減化、製造工程の簡素化、さらには消費樹脂材料の省資源化の点から、多くの利点があるばかりでなく、数リットルにも達する大きさのボトル型容器であっても、グリップ性が安定して発揮される、と云う利点がある。
【特許文献１】特開２００３−１６５５１８号公報
【発明の開示】
【発明が解決しようとする課題】
【０００４】
一般にピンチグリップ式ボトル型容器は収納量が大きく、内容液を収納した状態では非常に重量が大きくなる。したがって、ピンチグリップ式ボトル型容器のグリップ部には、ボトル型容器を持ち上げたり、内容液を注ぎだすために傾けると非常に大きな力が作用する。
【０００５】
一方で、省資源化を図るためピンチグリップ式ボトル型容器を薄肉に形成すると、グリップ部の肉厚も薄くなり、両凹部の間に位置する背壁部分の強度が低下する。このため、上記のように容器を持ち上げてグリップ部に大きな力が作用したときに背壁部分が耐えられず容器外方に湾曲状に変形し、容器を安定して保持できず注ぎ口が不安定になって注ぎ難くなる、さらには瞬間的な変形により内容液が不意に外部に飛び出したり、と云う恐れがある。
【０００６】
また、この種のピンチグリップ式ボトル型容器にあっては、内容物を密閉収納した状態で落下すると、落下の衝撃により内容液が急激に移動して、ボトル型容器内の内圧が部分的に急激に上昇し、比較的大きく陥没形成したグリップ機能部の主要構成部分である凹部が部分的に反転変形し、元の形状に復元できないと云う、所謂バックリングが発生する、と云う問題がある。
【０００７】
さらに、平坦状の背壁部分は、密閉状態で容器内が減圧状態になった際に外観を損なわない範囲で陥没変形して減圧度を緩和する機能、所謂、減圧吸収機能を効果的に発揮させるための部位として適した領域でもあり、グリップ部の把持性や、バックリングや、上記した減圧吸収機能についても考慮しながら背壁部分の形状設計を行う必要がある。
【０００８】
そこで、本発明は、ピンチグリップ式ボトル型容器において、安定した把持性、耐バックリング性、そして減圧吸収機能を合わせて発揮するための、凹部と共にグリップ部を構成する背壁部分の形状を創出することを技術的課題とする。
【課題を解決するための手段】
【０００９】
上記技術的課題を解決する本発明の手段の内、第１の発明の構成は、
胴部の両側壁部分のそれぞれに、凹部を対向させて陥没形成し、この凹部と、両凹部の間で平坦状に形成された背壁部分とでグリップ部を形成する合成樹脂製ブロー成形品であるピンチグリップ式ボトル型容器において、
両凹部のそれぞれの上部領域に、さらに指当て用の指当て凹部(12)を対向させて陥没形成し、
背壁部分の、指当て凹部が位置する高さ範囲である上部領域には複数の補強横リブを等間隔に形成し、
背壁部分の、指当て凹部の下端より下方の高さ範囲である下部領域の全域には、補強横リブに比較して浅く形成され、且つ減圧時において下部領域の容器内方への陥没変形を可能とする複数の浅溝横リブを等間隔に形成する、
と云うものである。
【００１０】
この第１の発明においては、胴部の両側壁部分のそれぞれに、凹部を対向させて陥没形成し、さらにこの凹部に指当て凹部を陥没形成するものであり、両指当て凹部と両凹部の間の背壁部分とでグリップ部を形成する。
すなわちボトル型容器を把持する際には、一方の指当て凹部に片方の手の親指の指先を、また他方の指当て凹部内に親指以外の指の指先を侵入させると共に、手の平部分を背壁部分に当てるようにしてボトル型容器を持ち上げ、傾けて内容液の注出操作を実施する。
【００１１】
そして、上記第１の発明の構成中の、背壁部分の、指当て凹部が位置する高さ範囲には（以下、上部領域と記載する場合がある。）複数の補強横リブを等間隔に形成すると、云う構成はこの補強横リブの補強効果により平坦状に形成された背壁部分の面剛性を高くすることを意図したものであり、手でグリップ部をかなり強力に把持した際にも、平坦状に形成された背壁部分の容器外方への湾曲状変形を効果的に抑制することができ、大きな力が作用したときに背壁部分が耐えられず容器外方に湾曲状に変形し、容器を安定して保持できず注ぎ口が不安定になって注ぎ難くなる、さらには急激な変形により内容液が不意に外部に飛び出したりと云う不具合を確実に防ぐことができ、安心して使用することができる。
【００１２】
次に、背壁部分の、指当て凹部の下端より下方の高さ範囲（以下、下部領域と記載する場合がある。）の全域には、補強横リブに比較して浅く形成され、且つ減圧時において下部領域の容器内方への陥没変形を可能とする複数の浅溝横リブを等間隔に形成する、と云う構成は、平坦な背壁部分の面剛性を、上記した補強横リブほどではないが、一定のレベルに保持して容器外方への湾曲状の変形を抑制しつつ、この下部領域を減圧吸収機能を発揮させるための部位として利用しようと意図したものであり、この浅溝横リブで、下部領域全体に外観を損なうことなく減圧時における陥没変形をスムーズに進展させることが可能となり、大きな面積を有する当該下部領域を、減圧吸収機能を発揮する領域として効果的に利用することができる。
【００１３】
また、この背壁部分の下部領域において浅溝横リブは耐バックリング性にも寄与する。内容物を密閉収納した状態でボトル型容器が落下すると、落下の衝撃により内容液が急激に移動して、ボトル型容器内の内圧が部分的に急激に上昇するが、浅溝横リブの補強効果を補強横リブより小さくすることにより、
当該下部領域は比較的容易に膨出変形し易くバックリングの発生時における部分的な内圧の上昇をある程度吸収して緩和することができると共に、その後、浅溝横リブの弾性的な復元力が作用して膨出前の元の形状に復帰させることができるので、バックリングの発生を効果的に抑制することができる。
【００１４】
ここで、補強横リブと浅溝横リブは背壁部分の面剛性の向上による把持性の向上、減圧吸収機能、そして耐バックリング性を考慮してその形状や、形成数を適宜選択することができるが、上記第１の発明の構成では背壁部分の上部領域に補強横リブを、下部領域に浅溝横リブと云うように、上部領域と下部領域に、形状そして機能の異なるリブを配設することにより、この背壁部分において把持性、減圧吸収機能そして耐バックリング性を合わせて発揮できるようにしたものである。
【００１５】
第２の発明の構成は、第１の発明において補強横リブを、容器の外方に突出した突条リブとする、と云うものである。
【００１６】
補強横リブを突条リブとすることにより、容器外方への湾曲状の変形をより効果的に抑制することができる。勿論、補強横リブの形状は横溝状とすることもできる。
【発明の効果】
【００１７】
本発明は、上記した構成となっているので、以下に示す効果を奏する。
第１の発明にあっては、背壁部分の、指当て凹部が位置する高さ範囲に補強横リブを、指当て凹部の下端より下方の高さ範囲に補強効果の小さい浅溝横リブを形成することにより、背壁部分において把持性、減圧吸収機能、そして耐バックリング性を合わせて発揮できるようにすることができる。
【００１８】
第２の発明にあっては、補強横リブを突出した突条リブとすることにより、容器外方への湾曲状の変形をより効果的に抑制することができる。
【発明を実施するための最良の形態】
【００１９】
以下、本発明の実施の形態を実施例に沿って図面を参照しながら説明する。
図１〜図５は本発明のピンチグリップ式ボトル型容器の一実施例を示すものであり、図１は全体正面図、図２は全体側面図、図３は一部不規則破断した全体背面面図である。また図４、図５はそれぞれ、図２中のＡ−Ａ線、Ｂ−Ｂ線に沿って示した平断面図である。
【００２０】
この合成樹脂製２軸延伸ブロー成形品であるピンチグリップ式ボトル型容器１は全高さが３９５ｍｍ、最大径が１３７ｍｍ、内容量が４リッターであり、下端に座機能を発揮する底部８を連設した、有底筒状の胴部４の上端に、上方に縮径したテーパ−筒状の肩部３を介して、外周面に螺条を刻設した円筒状の口筒部２を連設した構造となっている。
【００２１】
底部８および肩部３との境界部分である上下両端部に補強周リブ７を周設した胴部４は、その両側壁部分５のやや上側の後側位置に、対向した姿勢で縦長の一対の凹部１１を陥没形成している。
さらに両凹部１１のそれぞれの上部領域に、指当て用の指当て凹部１２を対向させて陥没形成している。
【００２２】
本実施例の凹部１１は全体として縦長の長円状で胴部４の高さの略１／２の高さを有する。また指当て凹部１２は全体として縦長矩形状で、凹部上端面１２ｅａと凹部下端面１２ｅｂと左右の凹部側面１２ｓの計４ケの傾斜面と凹部底面１２ｂによって形成されている。また、この指当て凹部１２の上端縁から前方側端縁にかけて連続的に周段部１９を形成している。
【００２３】
各指当て凹部１２には三つの凹部補強リブ１３（図２参照）が、アーチ状に横断して（図５参照）設けられている。この凹部補強リブ１３は指当て凹部１２の機械的強度を高める機能を発揮するものであるが、この三つの凹部補強リブ１３により、指当て凹部１２内を上下に四つの区分に、略等分に区画し、この区画により、指当て凹部１２内の各区分のいずれかに、一本の指の指先を安定して位置させることができる。
【００２４】
また、凹部補強リブ１３で区画された指当て凹部１２の各区分の凹部底面１２ｂには、ブロー成形されたボトル型容器１のブロー金型からの離型性を高めるための小突部１５を形成している。
【００２５】
そして、両指当て凹部１２と、この両凹部１１の間に位置する背壁部分６とによりグリップ部Ｇを形成しているが（図５中の白抜き矢印参照）、このグリップ部Ｇの周方向に沿った周長は、一方の指当て凹部１２に親指を位置させ、他方の指当て凹部１２に他の指を位置させての把持（図６参照）を可能とする必要があることから、手のひらの寸法に合わせて略一定した値に設定されることになる。また、グリップ部Ｇはこのグリップ部Ｇを把持してのボトル型容器１の取扱いが良好なものとなるように、なるべく胴部４の中央側に位置するのが有利となる。
【００２６】
上記のような点を考慮してグリップ部Ｇの形状や寸法を設計するが、本実施例では胴部４の径寸法を考慮して胴部４の背壁部分６を平坦状にして胴部４の中心軸方向に陥没させた状態で位置させている。（図２、図５参照）
【００２７】
次に、平坦状に形成した背壁部分６内、グリップ部Ｇを構成する指当て凹部１２に対応する高さ範囲Ｈ１（図２、図３参照）には、突出高さ（段差）が３ｍｍの突条リブである補強横リブ２２を多数（５ケ）等間隔に設けている。
この、補強横リブ２２は平坦状に形成された背壁部分６の面剛性を高くして、手でグリップ部Ｇを大きな力で把持した際、背壁部分６が耐えられずボトル型容器１の外方に湾曲状に変形し、ボトル型容器１を安定して保持できず、注ぎ口が不安定になって注ぎ難くなる、さらには変形により内容液が不意に外部に飛び出したり、と云う不具合を確実に防ぐことができる。
また、手でグリップ部Ｇを強固に掴んだ際における、しっかりとしたグリップ感が得られる。
【００２８】
一方、背壁部分６の、指当て凹部１２の下端より下方の高さ範囲Ｈ２（図２、図３参照）には、深さ（段差）が１ｍｍと、上記補強横リブ２２の突出高さに比較的して浅い、浅溝横リブ２３が、多数（７ケ）等間隔に設けている。そして、このようなタイプの浅溝横リブ２３により、平坦な背壁部分６の面剛性を上記した補強横リブ２２ほどではないが、一定のレベルに保持してボトル型容器１の外方への湾曲状の変形を抑制しつつ、この背壁部分６の高さ範囲Ｈ２と云うかなり大きな面積の領域で、減圧時における陥没変形を、外観を損なうことなくスムーズに進展させることができ、減圧吸収機能を効果的に発揮させるための領域として利用することができる。
【００２９】
また、浅溝横リブ２３を形成した、背壁部分６の高さ範囲Ｈ２の領域は、補強横リブ２２を形成した高さ範囲Ｈ１の領域に比較して、容易に膨出変形し易くバックリングの発生時における部分的な内圧の上昇をある程度吸収することができると共に、その後、浅溝横リブ２３の弾性的な復元力が作用して膨出前の元の形状に復帰させることができるので、バックリングの発生を抑制することができる。
【００３０】
次に、本実施例では、縦長の長円状の凹部１１内の指当て凹部１２の下縁の下方に位置する傾斜状の平坦壁領域１７（図３参照）に周段部１９に連結して、この周段部１９と共に指当て凹部１２を３方から囲うように、三日月形状の補強段部１８を形成しており、この補強段部１８は凹部１１のバックリングを抑制する作用効果を発揮する。
【００３１】
以上、本発明のピンチグリップ式ボトル型容器の実施の形態とその作用効果について、実施例に沿って説明したが、本発明の実施の形態は上記実施例に限定されるものではない。たとえば、ボトル型容器の容量は４リッターに限定されるものではないし、また背壁部分６に配設する補強横リブ２２と浅溝横リブ２３の、幅や段差の高さ等の形状、配設数、それぞれの高さ範囲Ｈ１、Ｈ２中の配設位置は背壁部分６の把持性、減圧吸収機能そして耐バックリング性を考慮して適宜選択することができ、また補強横リブ２２は溝状とすることもできる。
【産業上の利用可能性】
【００３２】
以上説明したように、本発明のピンチグリップ式ボトル型容器は、背壁部分へのリブの配設態様により、背壁部分において把持性、減圧吸収機能そして耐バックリング性を合わせて発揮できるようにしたものであり、数リッター程度の大型のボトル型容器として幅広い使用展開が期待される。
【図面の簡単な説明】
【００３３】
【図１】本発明の一実施形態例を示す、全体正面図である。
【図２】図１に示した実施形態例の、全体側面図である。
【図３】図１に示した実施形態例の、一部不規則破断した全体背面面図である。
【図４】図２中のＡ−Ａ線に沿って示した平断面図である。
【図５】図２中のＢ−Ｂ線に沿って示した平断面図である。
【図６】図５の平断面図で手による把持状態を示した説明図である。
【符号の説明】
【００３４】
１  ；ボトル型容器
２  ；口筒部
３  ；肩部
３ａ；パネル壁
４  ；胴部
５  ；側壁部分
６  ；背壁部分
７  ；補強周リブ
８  ；底部
１１；凹部
１２；指当て凹部
１２ｓ；凹部側面
１２ｂ；凹部底面
１２ｅａ；凹部上端面
１２ｅｂ；凹部下端面
１３；凹部補強リブ
１５；小突片
１７；平坦壁領域
１８；補強段部
１９；周段部
２２；補強横リブ
２３；浅溝横リブ
Ｇ  ；グリップ部
Ｈ１、Ｈ２；高さ範囲
【図１】
0005176181.tif 000002
【図２】
0005176181.tif 000003
【図３】
0005176181.tif 000004
【図４】
0005176181.tif 000005
【図５】
0005176181.tif 000006
【図６】
0005176181.tif 000007